(57)【要約】  リール本体１２に対して回転自在に設けられ釣糸２４が巻き取られるスプール１４と、スプール１４と同軸に設けられた巻き取り機構部１８とを有する。スプール１４と巻き取り機構１８部との間には、巻き取り機構部１８の回転をスプール１４に一定のトルク以下で伝達するドラグ部１６を備える。巻き取り機構部１８には、スプール１４とともに回転する主回転軸３０にワンウェイクラッチ４０を介して同軸に設けられた動伝部材４４を備える。動伝部材４４に同軸に設けられた巻き取り環４５と、巻き取り環４５に一端が固定されて巻き付けられた巻き取り紐４７と、動伝部材４４を巻き戻し方向に回転させるゼンマイバネ４６とを備える。巻き取り紐４７を引き出すことにより、巻き取り環４５が回転してスプール１４が一体的に回転し、釣糸２４が巻き取られる。ゼンマイバネ４６により、巻き取り環４５が巻き戻し方向に回転し、ワンウェイクラッチ４０によりスプール１４にはトルクが伝達することなく、巻き取り紐４７が巻き取り環４５に巻き戻される。
2012029107.tif 000002
【特許請求の範囲】
【請求項１】
リール本体と、このリール本体に対して回転自在に設けられ釣糸が巻き取られるスプールとを有した釣り用リールであって、
前記スプールと同軸に設けられた巻き取り機構部を備え、前記巻き取り機構部には、前記スプールとともに回転する主回転軸にワンウェイクラッチを介して同軸に設けられた動伝部材と、この動伝部材に同軸に設けられた巻き取り環と、この巻き取り環に一端が固定されて巻き付けられた巻き取り紐と、前記動伝部材を巻き戻し方向に回転させるゼンマイバネとを備え、
前記スプールと前記巻き取り機構部との間には、前記巻き取り機構部の回転を前記スプールに一定のトルク以下で伝達するドラグ部が設けられ、
前記巻き取り紐を引き出すことにより前記巻き取り環が回転して前記スプールが回転し、前記釣糸が巻き取られた後、前記ゼンマイバネにより前記巻き取り環が巻き戻し方向に回転し、前記ワンウェイクラッチにより前記スプールにトルクを伝達することなく前記巻き取り紐が前記巻き取り環に巻き戻される釣用リール。
【請求項２】
前記巻き取り機構部により回転する前記主回転軸と前記スプールとの間には、前記釣糸の巻き取りトルクの上限を設定する第一ドラグ部が設けられ、この第一ドラグ部内のドラグパッドの圧接力を調整し巻き取りトルクの上限を設定するドラグ調整ノブが設けられ、前記主回転軸には、固定軸を挟んで回転調整軸が設けられ、この回転調整軸と前記リール本体との間には、前記釣糸にかかる張力の上限を設定する第二ドラグ部が設けられている請求項１記載の釣り用リール。
【請求項３】
前記ドラグ部は、前記主回転軸と同軸に設けられたドラグディスクと、このドラグディスクと対面して位置した複数のドラグパッドとから成る請求項１記載の釣り用リール。
【請求項４】
前記ゼンマイバネと動伝部材及び巻き取り環は、ユニット化されている請求項１記載の釣り用リール。
【発明の詳細な説明】
【技術分野】
【０００１】
この発明は、ワンウェイクラッチを利用して、釣糸を巻き取るスプールの回転動作を制御する釣用リールに関する。
【背景技術】
【０００２】
従来、釣用リールは、釣糸を巻回するスプールを、駆動モータやハンドルによって回転させていた。このハンドルとスプールとの間には、回転力を伝達または遮断するクラッチ機構と、回転に対する抵抗力を作用させるドラグ機構、１方向の回転のみを許容するワンウェイクラッチ機構などを備え、釣りの動作に応じたスプールの回転制御が行えるようになっている。【０００３】
例えば、特許文献１に開示された釣用リールは、リール本体の両側板間にスプールを回転自在に支持していると共に、一方の側板の外周部にはハンドル軸を回転自在に支持している。このハンドル軸に、一方向にのみ回転力を伝達する第１ワンウェイクラッチを介してハンドルを取り付け、該ハンドルを回転操作することにより、動力伝達機構を介して、釣糸の巻き取り方向にのみスプールを回転させるように構成している。さらに、リール本体に電動モータを取り付けている外付けフレームを着脱可能に装着すると共に、ハンドル軸に第１ワンウェイクラッチと同じ一方向にのみ回転力を伝達する第２ワンウェイクラッチを装着して、電動モータの回転力を、この第２ワンウェイクラッチを介してハンドル軸に伝達するように構成している。【０００４】
特許文献２に開示された釣用リールのように、釣糸を巻回するスプールがリール本体に対して回転する釣用リールであって、ハンドル、回転軸、ドラグ機構、ワンウェイクラッチ機構、及び第２の回転阻止機構を備えたものもある。ドラグ機構は、スプールとともに一体回転する主動部と、この主動部の回転が伝達され回転軸とともに一体回転し主動部に回転抵抗力を作用させる従動部を有し、スプールと回転軸との間で回転を伝達する。ワンウェイクラッチ機構は、回転軸とリール本体との間に配置され、回転軸に対して、釣糸の巻き取り方向への回転は許容し、釣糸の繰り出し方向への回転は、ドラグ機構の最大の設定回転抵抗力よりも小さく設定された所定の限界値を超えるまでは回転を阻止し、回転力が限界値を超えれば回転を許容する。第２の回転阻止機構は、回転軸とリール本体との間に配置され、回転軸に対して、釣糸の巻き取り方向への回転は許容し、釣糸の繰り出し方向への回転は、ワンウェイクラッチ機構が回転を許容すると回転を阻止するものである。
【先行技術文献】
【特許文献】
【０００５】
【特許文献１】特開２００６−２２３２１９号公報
【特許文献１】特開平９−１６８３５４号公報
【発明の概要】
【発明が解決しようとする課題】
【０００６】
上記背景技術のような釣用リールの場合、釣糸の巻き取りにおいては、ハンドルやモータを回転させて巻き取るため、ハンドルの回転数に対してスプールの回転数を上げるために歯車機構が必要であり、構造が複雑になり重量の増大も生じていた。さらに、ハンドルの回転動作は、小さな回転を素早く行う必要があり、操作性が悪いものであった。【０００７】
この発明は、上記背景技術の問題点に鑑みてなされたものであり、簡単な構造で、効率的に素速く釣糸の巻き取りが可能な釣用リールを提供することを目的とする。
【課題を解決するための手段】
【０００８】
本発明は、リール本体と、このリール本体に対して回転自在に設けられ釣糸が巻き取られるスプールとを有した釣り用リールであって、前記スプールと同軸に設けられた巻き取り機構部を備え、前記巻き取り機構部には、前記スプールとともに回転する主回転軸にワンウェイクラッチを介して同軸に設けられた動伝部材と、この動伝部材に同軸に設けられた巻き取り環と、この巻き取り環に一端が固定されて巻き付けられた巻き取り紐と、前記動伝部材を巻き戻し方向に回転させるゼンマイバネとを備え、前記スプールと前記巻き取り機構部との間には、前記巻き取り機構部の回転を前記スプールに一定のトルク以下で伝達するドラグ部が設けられ、前記巻き取り紐を引き出すことにより前記巻き取り環が回転して前記スプールが回転し、前記釣糸が巻き取られた後、前記ゼンマイバネにより前記巻き取り環が巻き戻し方向に回転し、前記ワンウェイクラッチにより前記スプールにトルクを伝達することなく前記巻き取り紐が前記巻き取り環に巻き戻される釣用リールである。【０００９】
前記巻き取り機構部により回転する前記主回転軸と前記スプールとの間には、前記釣糸の巻き取りトルクの上限を設定する第一ドラグ部が設けられ、この第一ドラグ部内のドラグパッドの圧接力を調整し巻き取りトルクの上限を設定するドラグ調整ノブが設けられ、前記主回転軸には、固定軸を挟んで回転調整軸が設けられ、この回転調整軸と前記リール本体との間には、前記釣糸にかかる張力の上限を設定する第二ドラグ部が設けられているものである。【００１０】
前記ドラグ部は、前記主回転軸と同軸に設けられたドラグディスクと、このドラグディスクと対面して位置した複数のドラグパッドとから成るものである。前記ゼンマイバネと動伝部材及び巻き取り環は、ユニット化されているものである。
【発明の効果】
【００１１】
本発明の釣用リールは、簡単な構造で、釣糸の迅速な巻き取りを可能にし、タイミングを逃さない魚釣りを楽しむことができる。また動作は、巻き取り糸を引くという直線的で大きな動作となり、従来のハンドルの回転のようなこまめな動作が要求されず、より高速の巻き取りが可能となる。
【図面の簡単な説明】
【００１２】
【図１】この発明の一実施形態の釣用リールの部分断面図である。
【図２】この発明の一実施形態の釣用リールの分解斜視図である。
【図３】この発明の一実施形態の釣用リールの正面図である。
【発明を実施するための形態】
【００１３】
以下、この発明の実施の形態について図面に基づいて説明する。図１〜図３はこの発明の一実施形態を示すもので、この実施形態の釣用リール１０は、リール本体１２と、リール本体１２の側方に配置されたスプール１４と、スプール１４の内側に同軸に設けられた第一ドラグ部１６、スプール１４の側方に同軸に設けられた第二ドラグ部１７、及び第二ドラグ部１７の側方に設けられスプール１４と同軸に設けられた巻き取り機構部１８とを備えている。
【００１４】
リール本体１２は、円環状のフレーム１２ａと、フレーム１２ａに一体的に設けられ、釣り竿２０に固定される取付部１２ｂとにより構成されている。フレーム１２ａの側方に位置したスプール１４には、釣糸２４を巻き取る糸巻き部１４ａの内側に位置して、第一ドラグ部１６が同軸且つ一体的に回転可能に設けられている。
【００１５】
第一ドラグ部１６には、スプール１４と同軸に設けられ巻き取り機構部１８のワンウェイクラッチ４０の回転を伝達するドラグディスク２６が、主回転軸３０の一端部３０ａに、相対的に回転しないように係合して設けられている。この係合は、主回転軸３０の一端部３０ａに形成された半円状凸部３０ｂの軸方向の平面に、ドラグディスク２６の中心部に突接された半円状凸部２６ａの軸方向の平面が、互いに当接して連結するものである。
【００１６】
ドラグディスク２６の外側の側面は、フッ素樹脂製等の滑り性の良いシートからなるドラグパッド２７ａ，２７ｂに挟持された皿バネ状の２枚のバネ部材２５を介して、第一ドラグ部１６の円筒状のドラグ調整ノブ２８内に対面して設けられている。これにより、ドラグディスク２６の側面には、バネ部材２５による弾発力が付加可能に設けられている。ドラグディスク２６の内側の側面にも、ドラグパッド２７ｃが対面して、スプール１４の軸受け収納部３２の側面３２ａに摺接可能に設けられている。
【００１７】
ドラグ調整ノブ２８の内周面には、雌ネジ部３５が設けられている。雌ネジ部３５は、スプール１４の側面に一体に同軸に突設された、円筒状の軸受け収納部３２の外周の雄ネジ部３４に螺合している。これにより、ドラグ調整ノブ２８を回動することにより、ドラグディスク２６と、ドラグパッド２７ａ，２７ｂ，２７ｃが摺接する圧力を調節し、回転軸３０とドラグディスク２６間の伝達トルクを調節可能に設けられている。
【００１８】
主回転軸３０には、リール本体１２に固定された固定軸３１が挿通され、固定軸３１に回転調整軸３３が回転自在に挿通されている。回転調整軸３３には、スプール１４に形成された収納部３２に収容されたワンウェイクラッチ３６の内輪部が固定されている。ワンウェイクラッチ３６の外輪部はスプール１４の収納部３２内に固定され、ワンウェイクラッチ３６の内輪部は回転調整軸３３と一体になり、スプール１４の釣糸２４の巻き取り方向である正転方向には自由回転し、逆転方向には、スプール１４の回転を防止している。スプール１４の収納部３２には、回転調整軸３３とスプール１４間に取り付けられたベアリング２９の内輪部が回転調整軸３３に固定され、ベアリング２９の外輪部は、収納部３２内に固定され、スプール１４の回転を安定化する。
【００１９】
回転調整軸３３には、第二ドラグ部１７のドラグ調整ノブ３８が挿通され、円筒状のドラグ調整ノブ３８の内周面には、リール本体１２の中心部に同軸に設けられた雄ネジ部３７に螺合する雌ネジ部３９が設けられている。雄ネジ部３７の内側は、円筒状に形成され、ドラグ調整ノブ３８とリール本体１２の雄ネジ部３７の内部に空間が形成されている。この空間を形成するドラグ調整ノブ３８内には、主回転軸３０と同軸に、回転調整軸３３のトルク伝達を調整するドラグディスク４２が、回転調整軸３３の先端部に固定されて設けられている。ドラグディスク４２の一方の側面は、リール本体１２の中心部側の内面に対して、フッ素樹脂製等の滑り性の良いシートからなるドラグパッド４３を挟んで対面し、リール本体１２及び円筒状のドラグ調整ノブ３８内に設けられている。
【００２０】
回転調整軸３３に固定されたドラグディスク４２の他方の側面は、ドラグ調整ノブ３８の内面に対面し、その間に皿バネ状の２枚のバネ部材４９が位置している。バネ部材４９は、一方の端面が、回転調整軸３３のドラグ調整ノブ３８内の先端部に形成されたフランジ部３３ａに当接し、他方の端面がドラグ調整ノブ３８の内面に当接している。これにより、回転調整軸３３を介して、ドラグディスク４２とドラグパッド４３を、リール本体１２の中心部側面に付勢している。さらに、ワンウェイクラッチ３６によりスプール１４の逆回転を阻止するとともに、一定以上のトルクによりドラグディスク４２とドラグパッド４３がスリップして、スプール１４が逆回転可能にしている。
【００２１】
ドラグ調整ノブ３８の外側面とスプール１４の中心部のベアリング２９の内輪部との間には、コイルバネ５０が設けられている。コイルバネ５０は、スプール１４をリール本体１２に対して離間するように付勢し、スプール１４の回転を安定化している。
【００２２】
リール本体１２の第二ドラグ部１７とは反対側には、巻き取り機構部１８が設けられている。巻き取り機構部１８内には、リール本体１２に対して回転自在の主回転軸３０の他端が位置し、この他端３０ｃにワンウェイクラッチ４０の内輪部が回転不能に挿通され、ワンウェイクラッチ４０の外輪部が、円筒状の動伝部材４４に固定されている。動伝部材４４は主回転軸３０と同軸かつ一体に回転可能に設けられ、動伝部材４４の周縁部には、巻き取り環４５が一体に設けられている。
【００２３】
動伝部材４４及び巻き取り環４５は、リール本体１２と一体に設けられたハウジング１２ｃ内に収容されている。巻き取り環４５の内側には、巻き戻し用のゼンマイバネ４６が取り付けられ、巻き取り環４５の外周部には、巻き取り紐４７が巻回されている。巻き取り紐４７は、その一端部が巻き取り環４５に固定され、他端はハウジング１２ｃに形成された透孔１２ｄを経てハウジング１２ｃ外に延出している。巻き取り紐４７の他端には、後述するように操作を容易にするための保持部材４８が固定されている。巻き取り環４５の直径は、スプール１４の直径と比較して小さく、例えば約１／２程度に形成されている。
【００２４】
円筒状のハウジング１２ｃの外側の開口端には、キャップ部材５２が取り付けられ、キャップ部材５２の中心軸５２ａがゼンマイバネ４６の中心部に挿通され、動伝部材４４の中心部が嵌合している。動伝部材４４のワンウェイクラッチ４０側の中心部には、保持部材５４が設けられ、保持部材５４とネジ５６により、動伝部材４４とゼンマイバネ４６及びキャップ部５２をユニット化している。
【００２５】
次に、この実施形態の釣用リール１０の使用方法について説明する。この実施形態の釣用リール１０は、例えばフライフィッシングに用いられるもので、釣糸２４の巻き取り時の操作を容易にするものである。即ち、例えば、釣糸２４の針に魚が食い付いた後、釣糸２４を巻き取る際に、保持部材４８を持って引くと、巻き取り紐４７が巻き取り環４５から引き出され、巻き取り環４５が巻き取り紐４７の引き出された分だけ回転する。その回転数は巻き取り紐４７の長さを巻き取り環４５の円周で除した数である。このときスプール１４に巻き取られる釣糸２４の長さは、巻き取り紐４７の長さに対して、スプール１４の直径と巻き取り環４５の直径の比に比例した長さである。
【００２６】
巻き取り機構部１８による釣糸２４の巻き取り時の動作は、巻き取り紐４７を引くと、巻き取り環４５の回転とともに動伝部材４４が回転し、ワンウェイクラッチ４０が動伝部材４４とともに回転し、ワンウェイクラッチ４０を介して回転主軸３０が一体に回転する。これにより、ドラグディスク２６が回転し、ドラグパッド２７ａ，２７ｂ，２７ｃを経てドラグ調整ノブ２８に回転が伝達され、スプール１４が回転する。このとき伝達されるトルクは、ドラグディスク２６とドラグパッド２７間の伝達トルクにより上限が制限される。この時の最大伝達トルクは、ドラグ調整ノブ２８の雌ネジ３５と、スプール１４の雄ネジ３４との締め具合により決定される。
【００２７】
また、釣糸２４側からの張力によりスプール１４に掛るトルクが、ドラグディスク４２とドラグパッド４３間の伝達トルク以上になると、スプール１４は釣糸２４の張力により引き出される方に回転し、釣糸２４が切れるのを防止する。
【００２８】
巻き取り紐４７を引き切ると、ゼンマイバネ４６が巻かれて回転エネルギーが蓄えられ、巻き取り紐４７にかける力を抜くと、ゼンマイバネ４６により巻き取り環４５に巻き取り紐４７が巻き取られる。この時、動伝部材４４からワンウェイクラッチ４０に回転が伝達されるが、ワンウェイクラッチ４０により主回転軸３０側にはトルクは伝達せず、スプール１４は停止した状態を維持する。スプール１４の逆回転方向へのトルクは、ドラグディスク４２とドラグパッド４３間の摩擦抵抗によるトルクにより決定される。また、ドラグディスク２６とドラグパッド２７ａ，２７ｂ，２７ｃ間のトルクは、巻き取り紐４７により巻き取り機構部１８側から伝達されるトルクの最大値を決定している。
【００２９】
この実施形態の釣用リールによれば、簡単な構造で、釣糸の迅速な巻き取りを可能にし、魚の食い付き時等にタイミングを逃さない魚吊りを楽しむことができる。また動作は、巻き取り糸を引くという直線的で大きな動作となり、従来のハンドルの回転のようなこまめな動作が要求されず、より高速の巻き取りが可能となる。
【符号の説明】
【００３０】
１０  釣用リール
１２  リール本体
１４  スプール
１４ａ  糸巻き部
１６  第一ドラグ部
１７  第二ドラグ部
１８  巻き取り機構部
２４  釣糸
２６，４２  ドラグディスク
２７ａ，２７ｂ，２７ｃ，４３  ドラグパッド
３０  主回転軸
３１  固定軸
３３  回転調整軸
３６，４０  ワンウェイクラッチ
４４  動伝部材
４５  巻き取り環
４６  ゼンマイバネ
４７  巻き取り紐
４８  保持部材
【図１】
2012029107.tif 000003
【図２】
2012029107.tif 000004
【図３】
2012029107.tif 000005
【国際調査報告】
2012029107.tif 000006
2012029107.tif 000007